【事件の表示】
　特願２００５−　９７２２３「携帯情報端末」拒絶査定不服審判事件〔平成１８年１０月１２日出願公開、特開２００６−２７７４６７〕について、次のとおり審決する。
【結　論】
　本件審判の請求は、成り立たない。
【理　由】
１．手続の経緯と本願発明
　本願は，平成１７年３月３０日の出願であって，平成２３年４月１３日付けで拒絶査定がなされ，これに対して，平成２３年７月８日に審判請求がなされるとともに手続補正がなされ，当審において，平成２４年９月１１日付けで，拒絶の理由が通知され，同年１１月１６日に意見書並びに手続補正書が提出されたものである。
　そして，特許請求の範囲の請求項１に係る発明（以下，「本願発明」という。）は，平成２４年１１月１６日付け手続補正書により補正された明細書及び図面の記載からみて，その特許請求の範囲の請求項１に記載された以下のとおりのものと認める。
　
「ピクトが表示される表示部を備える携帯情報端末において、
　前記表示部に表示された複数のピクトのいずれかを選択することが可能なピクト選択モードにおいて、ユーザから、ピクトを選択する選択入力を受け付けるピクト選択受付手段と、
　前記選択入力を受け付けた場合に、選択されたピクトに対応する処理を行うように制御する処理制御手段とを備え、　前記ピクト選択モードにおいては、イベントが発生していない場合には表示されずイベントが発生した場合にユーザの操作によらずに表示されるピクトのいずれかを選択することが可能であることを特徴とする携帯情報端末。」
　
２．引用発明等
（１）．引用発明
　これに対して，当審の拒絶理由で引用した特開２００３−２９８７１５号公報（平成１５年１０月１７日出願公開。以下，「引用例」という。）には，図面とともに，以下の事項が記載されている。
　
　ａ．「【００５８】次に、図５乃至図１０を参照して、この例の
携帯電話機１
電源投入後、制御部３は、ユーザによる入力操作や着信を待機する待受モードに入り、主表示部８には待受画面を表示させる。ここで、制御部３は、図５に示すように、表示画面の上縁部領域８１には、例えば、ダイヤルロック／シークレットモード設定通知アイコン８ａ、メール受信通知アイコン８ｂ、メッセージリクエスト受信通知アイコン８ｃ、メッセージフリー受信通知アイコン８ｄ、メール等保管通知アイコン８ｅ、データ通信可否通知アイコン８ｆ、電池節約モード設定通知アイコン８ｇ、受信レベル通知アイコン８ｈ、通信可否通知アイコン８ｉ、及び電池残量レベル通知アイコン８ｊを表示させる
　
　ｂ．「【００５９】
ユーザが、カーソルキー７ｅを操作して、所定のアイコン、例えば、バイブレータ表示アイコン８ｋにフォーカスし、決定キー７ｂを押下すると、制御部３は、図６に示すように、主表示部８にバイブレータ設定メニュー画面を表示させる。このバイブレータ設定メニュー画面には、バイブレータ１５のオン状態／オフ状態の設定のほか
、オン状態の際の振動パターン（例えば振動時間とその間隔）や、着信音の出力と連動させるか否かの設定のためのメニュー画面が表示される。次に、ユーザが、カーソルキー７ｅを操作して、例えば、「５．ＯＦＦ」にカーソルを合わせ、決定キー７ｂを押下すると、制御部３は、記憶部４に記憶された設定内容を書き換える
　
　ｃ．「【００６２】このように、
この例の構成によれば、所望の機能に対応し待受画面に表示されたアイコンを選択することによって、例えば機能設定メニューを簡単に呼び出して、機能設定等を円滑にかつ迅速に行うことができる。また、例えば、メール受信通知アイコン８ｂを選択するのみで、受信メールの一覧画面を迅速に表示させることができる。しかも、機能の設定状態や動作状態を示す既存の表示用のアイコンをショートカット用として兼用するので、例えば表示画面を有効利用することができる。また、例えば機能の設定がなされていない場合でも、対応するアイコンはゴースト表示されて視認可能であり、このアイコンが選択されることによって、所定の設定メニュー画面が表示されるので、一段と円滑に機能設定等を行うことができる
　
　ｄ．「また、ショートカット用のアイコンを待受画面上で表示させる場合について述べたが、例えば、中項目選択画面で表示させるようにしても良い。
　また、
機能が無効状態（オフ状態）に設定されている場合に、アイコンをゴースト表示とする例について述べたが、これに限らず、例えば反転表示としても良いし、無表示とするようにしても良い
　
　してみると，引用例に記載された発明（以下，「引用発明」という。）は，以下のとおりのものである。
　
〈引用発明〉
　携帯電話機１において、 
 　電源投入後、制御部３は、ユーザによる入力操作や着信を待機する待受モードに入り、主表示部８には待受画面を表示させ、 
 　当該待受画面において、制御部３は、表示画面の上縁部領域８１には、例えば、ダイヤルロック／シークレットモード設定通知アイコン８ａ、メール受信通知アイコン８ｂ、メッセージリクエスト受信通知アイコン８ｃ、メッセージフリー受信通知アイコン８ｄ、メール等保管通知アイコン８ｅ、データ通信可否通知アイコン８ｆ、電池節約モード設定通知アイコン８ｇ、受信レベル通知アイコン８ｈ、通信可否通知アイコン８ｉ、及び電池残量レベル通知アイコン８ｊを表示させるものにおいて、 
 　ユーザが、カーソルキー７ｅを操作して、所定のアイコン、例えば、バイブレータ表示アイコン８ｋにフォーカスし、決定キー７ｂを押下すると、制御部３は、主表示部８にバイブレータ設定メニュー画面を表示させ、 
 　このバイブレータ設定メニュー画面には、バイブレータ１５のオン状態／オフ状態の設定のほか、オン状態の際の振動パターン（例えば振動時間とその間隔）や、着信音の出力と連動させるか否かの設定のためのメニュー画面が表示され、次に、ユーザが、カーソルキー７ｅを操作して、例えば、「５．ＯＦＦ」にカーソルを合わせ、決定キー７ｂを押下すると、制御部３は、記憶部４に記憶された設定内容を書き換えるもので、 
 　この例の構成によれば、所望の機能に対応し待受画面に表示されたアイコンを選択することによって、例えば機能設定メニューを簡単に呼び出して、機能設定等を円滑にかつ迅速に行うことができ、また、例えば、メール受信通知アイコン８ｂを選択するのみで、受信メールの一覧画面を迅速に表示させることができ、 
 　しかも、機能の設定状態や動作状態を示す既存の表示用のアイコンをショートカット用として兼用するので、例えば表示画面を有効利用することができるものであり、 
 　また、例えば機能の設定がなされていない場合でも、対応するアイコンはゴースト表示されて視認可能であり、このアイコンが選択されることによって、所定の設定メニュー画面が表示されるので、一段と円滑に機能設定等を行うことができる、
携帯電話機。」 
　　
３．対比・判断
　本願発明と引用発明とを対比する。
　
ア．引用発明の「携帯電話機１」、「主表示部８」は、それぞれ、本願発明の「携帯情報端末」、「表示部」に相当する。そして、引用発明の「表示画面の上縁部領域」に表示された「ダイヤルロック／シークレットモード設定通知アイコン８ａ」等は、本願発明の「ピクト」に相当する。 
 　　 
イ．　引用発明の「カーソルキー７ｅを操作して、所定のアイコン、例えば、バイブレータ表示アイコン８ｋにフォーカスし、決定キー７ｂを押下する」との構成は、本願発明の「ユーザから、ピクトを選択する選択入力を受け付ける」ことに相当するものであるので、引用発明は、本願発明の「ピクト選択受付手段」を備えるものであり、引用発明の「カーソルキー７ｅを操作して、所定のアイコン、例えば、バイブレータ表示アイコン８ｋにフォーカスし、決定キー７ｂを押下する」ことができる「待受モード」は、本願発明の「表示部に表示された複数のピクトのいずれかを選択することが可能なピクト選択モード」に相当する。
 　 
ウ．引用発明の「制御部３」は、「例えば、バイブレータ表示アイコン８ｋにフォーカスし、決定キー７ｂを押下すると、」「主表示部８にバイブレータ設定メニュー画面を表示させ、」「このバイブレータ設定メニュー画面には、バイブレータ１５のオン状態／オフ状態の設定のほか、オン状態の際の振動パターン（例えば振動時間とその間隔）や、着信音の出力と連動させるか否かの設定のためのメニュー画面が表示され、次に、ユーザが、カーソルキー７ｅを操作して、例えば、「５．ＯＦＦ」にカーソルを合わせ、決定キー７ｂを押下すると、」「記憶部４に記憶された設定内容を書き換える」との処理を行うように制御するものであるので、本願発明の「選択入力を受け付けた場合に、選択されたピクトに対応する処理を行うように制御する処理制御手段」に相当する。 
 　 
エ．引用発明の「メール受信通知アイコン８ｂ、メッセージリクエスト受信通知アイコン８ｃ、メッセージフリー受信通知アイコン８ｄ、メール等保管通知アイコン８ｅ」は、機能の設定がなされている場合は、メールの受信等のイベントが発生した場合に動作し、イベントが発生したことを知らせるための表示動作を行うものであり、本願発明の「イベントが発生した場合にユーザの操作によらずに表示されるピクト」であることは、明らかである。
　
　したがって，両者は，以下の一致点と相違点とを有する。
　
〈一致点〉
ピクトが表示される表示部を備える携帯情報端末において、
　前記表示部に表示された複数のピクトのいずれかを選択することが可能なピクト選択モードにおいて、ユーザから、ピクトを選択する選択入力を受け付けるピクト選択受付手段と、
　前記選択入力を受け付けた場合に、選択されたピクトに対応する処理を行うように制御する処理制御手段とを備え、　前記ピクト選択モードにおいては、イベントが発生した場合にユーザの操作によらずに表示されるピクトのいずれかを選択することが可能であることを特徴とする携帯情報端末。
　
〈相違点〉
　　本願発明では、ピクト選択モードにおいては、イベントが発生していない場合には表示されずイベントが発生した場合にユーザの操作によらずに表示されるピクトのいずれかを選択することが可能であるの対し、引用発明では、「機能の設定がなされていない場合でも、対応するアイコンはゴースト表示されて視認可能」と記載されており、機能の設定の有無、イベントの発生の有無にかかわらず、その表示態様は異なるもののアイコンは常に表示されている点。
　
　相違点につき検討する。
　
〈相違点について〉
　引用例の上記摘記事項ｄ）には、「機能が無効状態（オフ状態）に設定されている場合に、アイコンをゴースト表示とする例について述べたが、これに限らず、例えば反転表示としても良いし、無表示とするようにしても良い」と記載されており、引用発明のアイコンの別の表示態様として、アイコン（本願発明で言う「ピクト」）は、常に表示されているものでは無くても良いことが示されている。
　また、メールを受信した場合に通知するピクト等のイベントが発生したことを知らせるためのピクトの表示態様として、イベントが発生していない場合には表示されずイベントが発生した場合にユーザの操作によらずに表示されるとの表示態様は、周知の事項（特開２００３−３２３３８０号公報、段落【００６１】「表示画面３０４は、チャットメールの最中に、通常ユーザ（ここでは、情報処理装置Ｄとする）からのメールを受信した際の情報処理装置Ａにおける画面である。通常ユーザからのメールを受信した情報処理装置Ａは、ピクト表示３０４ａにより、メールを受信したことをユーザに通知するのみで、受信メールの内容をすぐには表示しない。」の記載、特開２００３−１９８６６５号公報、段落【００１５】「図３を参照しながら、ユーザ操作中にメールを受信したときの処理動作を説明する。本発明の実施の形態である携帯電話機は、ユーザ操作中にメールを受信すると（Ｓ３０１）、メールピクト２０５ａのピクト状態を判定する（Ｓ３０３）。Ｓ３０３の結果、ピクト状態が「ピクト非表示中」になっている場合にはメールピクト２０５ａを表示して（Ｓ３０５）、ピクト状態を「ピクト表示中」する（Ｓ３０９）。」の記載、ＮＴＴドコモ、取扱説明書ムーバＮ５０５ｉＳ、２００４年２月（３版）発行、ｐ１０、メール着信通知用ピクトに関する記載の「メールを受信しているときは点滅し、受信完了後、点灯します。→Ｐ．３８６　未読のメールがなくなると消灯します。」を参照。）である。
　以上のことから、引用発明において、表示態様は異なるものの常に表示されているアイコン（ピクト）に、当該周知の事項を適用し、「イベントが発生しない場合には表示されずイベントが発生した場合にユーザの操作によらずに表示されるピクト」とし、本願相違点に係る構成とすることは、容易になし得るものである。
　
　また，本願発明の奏する作用効果は，引用発明及び周知の事項により奏する作用効果からみて，格別のものであるともいえない。
　したがって，本願発明は引用例に記載された発明に基づいて当業者が容易に発明できた発明である。
　
４．結語
　以上のとおり，本願発明は引用発明に基づいて容易に発明できた発明であるから，特許法第２９条２項の規定により，特許を受けることができない。
　
　よって，結論のとおり審決する。